(57)【要約】      （修正有）【課題】軽くて低廉であり自在に組立・解体可能な良質な太鼓音を発する太鼓を実現する。【解決手段】段ボール製の中空状態の太鼓胴部１の第１及び第２先端部の開口部が、それぞれ、共に段ボール製の第１面部２及び第２面部３の各々の太鼓面部で塞がれている。第１面部２の折り曲げられた各突出部の端部の貫通孔には竹串が配設されている。第２面部２の折り曲げられた各突出部の端部の貫通孔にも竹串が配設されている。第１紐部ＨＡ及び第２紐部ＨＢは、それぞれ、各貫通孔より露出した竹串の露出部に巻きつけられて第１及び第２面部２，３を引っ張り状態で固定し、太鼓胴部１の各側面の各角部に於いてＸ字状に立体交差することで振動を防止している。第３紐部ＨＣ及び第４紐部ＨＤは、それぞれ、各突出部の両端の引掛け用窪み部に引っ掛けられて支持されつつ、第１面部２及び第２面部３の各突出部を縛り込んで太鼓胴部１の側面に固定している。【選択図】図５
2014145799.tif 000002
【特許請求の範囲】
【請求項１】
長手方向に延在しつつ順次に繋がった段ボール製のｎ（ｎは４以上の偶数である自然数）個の側面と、且つ、その一端部の第１開口部から前記長手方向に沿って他端部の第２開口部まで延在して前記ｎ個の側面で全体的に囲まれた中空状態の空間部とを備える太鼓胴部と、
前記太鼓胴部の前記一端部上に配設されて前記第１開口部を全体的に塞ぐｎ角形状の一方の太鼓面を成す第１太鼓面部と、前記第１太鼓面部のｎ個の周縁部の各々から突出したｎ個の第１突出部とを備え、全体的に段ボールより成る第１面部と、
前記太鼓胴部の前記他端部上に配設されて前記第２開口部を全体的に塞ぐｎ角形状の他方の太鼓面を成す第２太鼓面部と、前記第２太鼓面部のｎ個の周縁部の各々から突出したｎ個の第２突出部とを備え、全体的に段ボールより成る第２面部と、
前記第１面部と前記第２面部とが互いに引っ張り合わさった状態を作るための第１紐部と、
前記第１面部の前記ｎ個の第１突出部の各々の裏面を前記太鼓胴部の対応する各側面に密着させる第３紐部と、
前記第２面部の前記ｎ個の第２突出部の各々の裏面を前記太鼓胴部の対応する各側面に密着させる第４紐部と、
を備え、
前記第１突出部の各々は、
前記第１太鼓面部の前記ｎ個の周縁部の内の対応する周縁部から前記太鼓胴部の前記長手方向に沿って折れ曲がっていると共に、
当該第１突出部の短手方向に延在して当該第１突出部に設けられている第１貫通孔、及び、前記第１貫通孔の中央部よりも前記第１太鼓面部側に近寄った位置に於ける当該第１突出部の長手方向側の両端部の各々の部分に設けられている第１引掛け用窪み部を備えており、
しかも、前記第１突出部の各々は、
前記第１貫通孔の前記中央部を介在して当該第１突出部の前記長手方向側の前記両端部間に延在した所定の第１幅を有する第１折れ線部と、
前記第１折れ線部に於いて前記所定の第１幅を保持しつつ前記太鼓胴部の対応する側面側に向けて内側に折れ曲がっている第１端部と
を備えており、
前記第２突出部の各々は、
前記第２太鼓面部の前記ｎ個の周縁部の内の対応する周縁部から前記太鼓胴部の前記長手方向に沿って折れ曲がっていると共に、
当該第２突出部の短手方向に延在して当該第２突出部に設けられている第２貫通孔、及び、前記第２貫通孔の中央部よりも前記第２太鼓面部側に近寄った位置に於ける当該第２突出部の長手方向側の両端部の各々の部分に設けられている第２引掛け用窪み部を備えており、
しかも、前記第２突出部の各々は、
前記第２貫通孔の前記中央部を介在して当該第２突出部の前記長手方向側の前記両端部間に延在した所定の第２幅を有する第２折れ線部と、
前記第２折れ線部に於いて前記所定の第２幅を保持しつつ前記太鼓胴部の対応する側面側に向けて内側に折れ曲がっている第２端部と
を備えており、
更に前記第１突出部の各々は、
前記第１端部の折れ曲がりにより生じている前記所定の第１幅の第１平坦部内に、前記第１貫通孔の表側より見て、その一部が露出して配設されている第１竹串を備えており、
更に前記第２突出部の各々は、
前記第２端部の折れ曲がりにより生じている前記所定の第２幅の第２平坦部内に、前記第２貫通孔の表側より見て、その一部が露出して配設されている第２竹串を備えており、
前記第１紐部は、前記太鼓胴部の前記ｎ個の側面の内の一つの側面にその第１端部が密着している一つの第１突出部の前記第１平坦部内に配設されている第１竹串の内の前記露出した一部に巻かれており、更に当該一つの側面に沿って斜め方向に延在しつつ当該一つの側面から隣の側面との境界を越えて当該隣の側面に亘って延在し且つ当該隣の側面に於ける一つの第２突出部に向けて延在し続けて、当該一つの第２突出部の前記第２平坦部内に配設されている第２竹串の内の前記露出した一部に巻かれた上で、更に当該隣の側面に沿って斜め方向に延在しつつ当該隣の側面から更に隣の側面との境界を越えて当該更に隣の側面に亘って延在し且つ当該更に隣の側面に於ける第１突出部に向けて延在し続けて、当該第１突出部の前記第１平坦部内に配設されている第１竹串の内の前記露出した一部に巻かれて、以降、同様に延在・巻かれる状態を経て、前記ｎ個の側面を一周して前記一つの側面に戻って来た後に、その端部同士が結び付けられており、
前記第３紐部は、各々の第１突出部の両端部の各々の部分に於ける第１引掛け用窪み部に順次に引っ掛けられつつ、前記ｎ個の第１突出部に一周して巻きつけられており、且つ、互いに結び付けられた両端部を備えており、
前記第４紐部は、各々の第２突出部の両端部の各々の部分に於ける第２引掛け用窪み部に順次に引っ掛けられつつ、前記ｎ個の第２突出部に一周して巻きつけられており、且つ、互いに結び付けられた両端部を備えている
ことを特徴とする、段ボール太鼓。
【請求項２】
請求項１に記載の段ボール太鼓であって、
前記第１面部と前記第２面部とが互いに引っ張り合わさった状態を作るための第２紐部を更に備えており、
前記第２紐部は、前記太鼓胴部の前記ｎ個の側面の内の一つの側面にその第２端部が密着している一つの第２突出部の第２平坦部内に配設されている第２竹串の内の前記露出した一部に巻かれており、更に当該一つの側面に沿って斜め方向に延在しつつ当該一つの側面から隣の側面との境界を越えて当該隣の側面に亘って延在し且つ当該隣の側面に於ける一つの第１突出部に向けて延在し続けて、当該一つの第１突出部の前記第１平坦部内に配設されている第１竹串の内の前記露出した一部に巻かれた上で、更に当該隣の側面に沿って斜め方向に延在しつつ当該隣の側面から更に隣の側面との境界を越えて当該更に隣の側面に亘って延在し且つ当該更に隣の側面に於ける第２突出部に向けて延在し続けて、当該第２突出部の前記第２平坦部内に配設されている第２竹串の内の前記露出した一部に巻かれて、以降、同様に延在・巻かれる状態を経て、前記ｎ個の側面を一周して前記一つの側面に戻って来た後に、その端部同士が結び付けられており、
前記第１紐部及び前記第２紐部は、前記太鼓胴部の前記ｎ個の側面の各々の隣の側面との境界部又は当該境界部近傍に於いてＸ字状に交差している
ことを特徴とする、段ボール太鼓。
【請求項３】
請求項２に記載の段ボール太鼓であって、
前記第１太鼓面部又は前記第２太鼓面部の内で太鼓面として使用される一方の面を打ち叩くための、中空状態の紙製の第１バチと、
前記太鼓面部を叩く側の端部近傍に所定の回数分だけ巻き付けられて前記第１バチの側面上に固設されている、発泡スチロールより成る第１緩衝材と、
前記第１太鼓面部又は前記第２太鼓面部の内で前記太鼓面として使用される前記一方の面を打ち叩くための、中空状態の紙製の第２バチと、
前記太鼓面を叩く側の端部近傍に前記所定の回数分だけ巻き付けられて前記第２バチの側面上に固設されている、前記発泡スチロールより成る第２緩衝材と
を備えることを特徴とする、段ボール太鼓。
【請求項４】
請求項３に記載の段ボール太鼓に用いられる、前記段ボール太鼓を組み立てるための段ボール太鼓用部品ユニットであって、
前記太鼓胴部を成す段ボールと、
前記第１面部を成す段ボールと、
前記第２面部を成す段ボールと、
前記第１及び第２紐部と、
前記第３及び第４紐部と、
前記第１及び第２竹串と、
前記第１及び第２バチと、
前記第１及び第２緩衝材と
を組立前の１組の部品として備えることを特徴とする、段ボール太鼓用部品ユニット。
【発明の詳細な説明】
【技術分野】
【０００１】
この発明は、組立及び解体が自在な、段ボールを使用して成る太鼓に関する。
【背景技術】
【０００２】
和太鼓等の太鼓については、比較的に、高価なものが多い。しかも、太鼓の運搬も楽でではない。
【先行技術文献】
【特許文献】
【０００３】
【特許文献１】登録実用新案第３０８７２８３号公報
【発明の概要】
【発明が解決しようとする課題】
【０００４】
木材等より成る太鼓については、比較的に形状が大きく、重くて扱いが容易ではなく、しかも、自在に解体して折り畳んで手で持ち運び、その後に元の太鼓に自在に組立可能なものはない。
【０００５】
加えて、総じて、太鼓の費用は高いと言え、大衆向けの価格ではない。
【０００６】
又、和太鼓等の太鼓は、量産性に不向きである。
【０００７】
本発明は、これらの問題点を踏まえて成されたものであり、その目的は、構成部品の数が比較的に少なくて従来品と比較して低廉であり、且つ、自在に解体して手で担いで持ち運びも可能であって、逆に、元の形状に容易に組み立てることが出来る、大衆向けに身近な存在の物に適した、しかも、太鼓としての音質も良い、段ボール製の太鼓を実現することにある。
【課題を解決するための手段】
【０００８】
この発明は、段ボール太鼓であって、長手方向に延在しつつ順次に繋がった段ボール製のｎ（ｎは４以上の偶数である自然数）個の側面と、且つ、その一端部の第１開口部から前記長手方向に沿って他端部の第２開口部まで延在して前記ｎ個の側面で全体的に囲まれた中空状態の空間部とを備える太鼓胴部と、前記太鼓胴部の前記一端部上に配設されて前記第１開口部を全体的に塞ぐｎ角形状の一方の太鼓面を成す第１太鼓面部と、前記第１太鼓面部のｎ個の周縁部の各々から突出したｎ個の第１突出部とを備え、全体的に段ボールより成る第１面部と、前記太鼓胴部の前記他端部上に配設されて前記第２開口部を全体的に塞ぐｎ角形状の他方の太鼓面を成す第２太鼓面部と、前記第２太鼓面部のｎ個の周縁部の各々から突出したｎ個の第２突出部とを備え、全体的に段ボールより成る第２面部と、前記第１面部と前記第２面部とが互いに引っ張り合わさった状態を作るための第１紐部と、前記第１面部の前記ｎ個の第１突出部の各々の裏面を前記太鼓胴部の対応する各側面に密着させる第３紐部と、前記第２面部の前記ｎ個の第２突出部の各々の裏面を前記太鼓胴部の対応する各側面に密着させる第４紐部と、を備え、前記第１突出部の各々は、前記第１太鼓面部の前記ｎ個の周縁部の内の対応する周縁部から前記太鼓胴部の前記長手方向に沿って折れ曲がっていると共に、当該第１突出部の短手方向に延在して当該第１突出部に設けられている第１貫通孔、及び、前記第１貫通孔の中央部よりも前記第１太鼓面部側に近寄った位置に於ける当該第１突出部の長手方向側の両端部の各々の部分に設けられている第１引掛け用窪み部を備えており、しかも、前記第１突出部の各々は、前記第１貫通孔の前記中央部を介在して当該第１突出部の前記長手方向側の前記両端部間に延在した所定の第１幅を有する第１折れ線部と、前記第１折れ線部に於いて前記所定の第１幅を保持しつつ前記太鼓胴部の対応する側面側に向けて内側に折れ曲がっている第１端部とを備えており、前記第２突出部の各々は、前記第２太鼓面部の前記ｎ個の周縁部の内の対応する周縁部から前記太鼓胴部の前記長手方向に沿って折れ曲がっていると共に、当該第２突出部の短手方向に延在して当該第２突出部に設けられている第２貫通孔、及び、前記第２貫通孔の中央部よりも前記第２太鼓面部側に近寄った位置に於ける当該第２突出部の長手方向側の両端部の各々の部分に設けられている第２引掛け用窪み部を備えており、しかも、前記第２突出部の各々は、前記第２貫通孔の前記中央部を介在して当該第２突出部の前記長手方向側の前記両端部間に延在した所定の第２幅を有する第２折れ線部と、前記第２折れ線部に於いて前記所定の第２幅を保持しつつ前記太鼓胴部の対応する側面側に向けて内側に折れ曲がっている第２端部とを備えており、更に前記第１突出部の各々は、前記第１端部の折れ曲がりにより生じている前記所定の第１幅の第１平坦部内に、前記第１貫通孔の表側より見て、その一部が露出して配設されている第１竹串を備えており、更に前記第２突出部の各々は、前記第２端部の折れ曲がりにより生じている前記所定の第２幅の第２平坦部内に、前記第２貫通孔の表側より見て、その一部が露出して配設されている第２竹串を備えており、前記第１紐部は、前記太鼓胴部の前記ｎ個の側面の内の一つの側面にその第１端部が密着している一つの第１突出部の前記第１平坦部内に配設されている第１竹串の内の前記露出した一部に巻かれており、更に当該一つの側面に沿って斜め方向に延在しつつ当該一つの側面から隣の側面との境界を越えて当該隣の側面に亘って延在し且つ当該隣の側面に於ける一つの第２突出部に向けて延在し続けて、当該一つの第２突出部の前記第２平坦部内に配設されている第２竹串の内の前記露出した一部に巻かれた上で、更に当該隣の側面に沿って斜め方向に延在しつつ当該隣の側面から更に隣の側面との境界を越えて当該更に隣の側面に亘って延在し且つ当該更に隣の側面に於ける第１突出部に向けて延在し続けて、当該第１突出部の前記第１平坦部内に配設されている第１竹串の内の前記露出した一部に巻かれて、以降、同様に延在・巻かれる状態を経て、前記ｎ個の側面を一周して前記一つの側面に戻って来た後に、その端部同士が結び付けられており、前記第３紐部は、各々の第１突出部の両端部の各々の部分に於ける第１引掛け用窪み部に順次に引っ掛けられつつ、前記ｎ個の第１突出部に一周して巻きつけられており、且つ、互いに結び付けられた両端部を備えており、前記第４紐部は、各々の第２突出部の両端部の各々の部分に於ける第２引掛け用窪み部に順次に引っ掛けられつつ、前記ｎ個の第２突出部に一周して巻きつけられており、且つ、互いに結び付けられた両端部を備えていることを、特徴とする。
【発明の効果】
【０００９】
本発明の主題によれば、太鼓本体を成す主要な部分（太鼓胴部、第１及び第２面部）は段ボールで構成されているので、軽くて且つ構成部品も少なくて低廉な太鼓を実現することが出来る。
【００１０】
しかも、本発明によれば、第１紐部は、第１及び第２面部の各突出部の貫通孔より露出した竹串の一部分に巻き付けられているため、段ボール製の第１及び第２面部自体を組立後の太鼓の使用によって損傷させることがないため、比較的に長期間に亘って当該段ボール太鼓を使用することが出来る。
【００１１】
加えて、第１紐部が順次に巻き付けられる第１及び第２竹串は、何れも、その長手方向ないしは縦方向に繊維が走っているので、巻き付け時に容易に湾曲して、第１紐部の巻き付けによる負荷を緩和させることが出来、竹串の寿命及び第１及び第２面部の寿命を比較的に長く保つことが出来る。即ち、太鼓の各構成部品の損傷を各段に緩和させることが出来る。
【００１２】
更に、普段は折り畳まれた状態の、各構成部品を成す段ボールを広げて折り曲げる作業等によって容易に太鼓の太鼓胴部、第１面部及び第２面部を形成又はその都度再生することが出来ると共に、自在に太鼓をその構成部品毎に解体可能であるため、解体後は段ボールから成る各構成部分を手で容易に持ち運びすることが出来る。
【００１３】
又、第１及び第２面部を太鼓胴部に巻き付ける第３及び第４紐部が、それぞれ巻き付け時に各引っ掛け用窪み部に引っ掛けられて支持されるため、第１及び第２面部並びに第３及び第４紐部が不要な振動を発生させることなく、しっかりと第１及び第２面部の各突出部を太鼓胴部の対応する各側面に密着させることが出来、良質な太鼓の音を発生させることが出来る。
【００１４】
特に、第１紐部と第２紐部とが各側面の角近傍に於いてＸ字状に立体交錯する場合には、第１面部と第２面部間の固定をより一層強固にすることが出来、不要な振動の発生を抑止することが出来る。
【００１５】
以下、本発明の様々な具体化を、添付図面を基に、その効果・利点と共に、詳述する。
【図面の簡単な説明】
【００１６】
【図１】本発明の実施の形態１に係る８側面を有する折り曲げ後の段ボールの太鼓胴部を模式的に示す斜視図である。
【図２】本発明の実施の形態１に係る８個の突出部を有する段ボールの第１面部又は第２面部の折り曲げ前の状態を模式的に示す平面図である。
【図３】本発明の実施の形態１に係る折り曲げ前の段ボールの第１面部又は第２面部の第１突出部又は第２突出部を拡大化して模式的に示す平面図である。
【図４】本発明の実施の形態１に係る折り曲げ後の段ボールの第１面部又は第２面部の第１太鼓面部又は第２太鼓面部を模式的に示す平面図である。
【図５】本発明の実施の形態１に係る段ボール製の太鼓本体の正面視での各側面の構成を、一部切りかけ縦断面構成と共に、模式的に示す正面図である。
【図６】本発明の実施の形態１に係る竹串の構成を模式的に示す斜視図である。
【図７】貫通孔内の竹串の露出部に巻き付けられた第２紐部を拡大化して模式的に示す使用状態図である。
【図８】太鼓胴部の隣り合う側面同士の引掛け用窪み部に引っ掛けられて支持されている第３紐部又は第４紐部の状態を模式的に示す使用状態図である。
【図９】太鼓面部を打ちたたくための緩衝材付きのバチの構成を示す斜視図である。
【図１０】太鼓面部を打ちたたくための緩衝材付きのバチの構成を示す縦断面図である。
【発明を実施するための形態】
【００１７】
（実施の形態１）
【００１８】
図５は、本実施の形態に係る段ボール太鼓の段ボール製の主要構成部品を広げて折り曲げた上で各種の紐部で各部を結んで太鼓本体を組み立てたときの状態を示す正面図（一部は縦断面構成で示されている。）である。以下では、図５の段ボール太鼓の本体を組み立てる前の状態での各構成部分の構成及び使用のための組立方法について、利点と共に記載する。
【００１９】
図１は、段ボール太鼓の主要構成部品の内で、段ボール製の太鼓胴部を模式的に示す斜視図である。図１に示される段ボール製の太鼓胴部１は、手で持ち運び容易に折り畳まれた状態の段ボールを広げて各角部を順次に折り曲げて組み立てた後の中空状のｎ角柱（ｎ＝８）の太鼓胴部である。ここで、「ｎ」は、４以上の自然数である。その様に側面数を限定する理由は、各側面が一体的に結合されて両端部が例えば両面テープで接着された段ボールの各角部を折り畳んで手での持ち運び及び収納を容易化することを可能にするためである。本例では、横断面が正８角形である一例が採用されている。
【００２０】
図１に例示される様に、太鼓胴部１は、その長手方向Ｚに延在し且つ順次に繋がった段ボール製の８個の側面１ＳＡ，１ＳＢ，１ＳＣ，１ＳＤ，１ＳＥ，１ＳＦ，１ＳＧ，１ＳＨを備えている。しかも、太鼓胴部１は、その一端部１ＥＡの第１開口部から、長手方向Ｚに沿って、その他端部１ＥＢの第２開口部まで延在して、８個の側面１ＳＡ，１ＳＢ，１ＳＣ，１ＳＤ，１ＳＥ，１ＳＦ，１ＳＧ，１ＳＨで全体的に囲まれた中空状態の空間部１ＩＳを備えている。逆に、段ボール製の太鼓本体を解体する場合には、各側面１ＳＡ，１ＳＢ，１ＳＣ，１ＳＤ，１ＳＥ，１ＳＦ，１ＳＧ，１ＳＨの角部を広がる様に内側に折り曲げて畳み込むことにより、一枚の段ボールとすることが出来、この素手による解体作業もまた容易な作業である。
【００２１】
図２は、一枚の段ボールより成る、各突出部の折り曲げ作業前の状態に於ける、第１面部２又は第３面部３の構成を、その平面視において示す図である。この場合、第１面部２及び第３面部３は、共に同一の平面視構造を有する。又、図３は、第１面部２の８個の第１突出部の内の任意の第１突出部２ＰＡ又は第２面部３の８個の第２突出部の内の任意の第２突出部３ＰＡの、折り曲げ前の広げた状態での平面視を示す一枚の段ボールの平面図である。第１突出部２ＰＡ・・・、及び、第２突出部３ＰＡ・・・は、同一の構造を備える。そこで、以下では、第１面部２の平面視での構成を記載する。
【００２２】
図２に例示される通り、第１面部２は、大要、１）太鼓胴部１の一端部１ＥＡ上に配設されて上記第１開口部を全体的に塞ぐ、正８角形状の一方の太鼓面を成す第１太鼓面部２ＵＳと、２）第１太鼓面部２ＵＳの８個の周縁部（破線で折り曲げ部が示される。）２ＥＡの各々から突出した８個の第１突出部２ＰＡ，２ＰＢ，２ＰＣ，２ＰＤ，２ＰＥ，２ＰＦ，２ＰＧＧ，２ＰＨを備えており、全体的に段ボールより成る。
【００２３】
同様に、第１面部２とＺ方向に対して対向する第２面部３も、大要、１）太鼓胴部１の他端部１ＥＢ上に配設されて上記第２開口部を全体的に塞ぐ、正８角形状の他方の太鼓面を成す第２太鼓面部３ＵＳと、２）第２太鼓面部３ＵＳの８個の周縁部の各々から突出した８個の第２突出部３ＰＡ，３ＰＢ，３ＰＣ，３ＰＤ，３ＰＥ，３ＰＦ，３ＰＧＧ，３ＰＨを備えており、同様に、全体的に段ボールより成る。
【００２４】
そして、第１突出部２ＰＡ，・・・，２ＰＨの各々は、１）当該第１突出部の短手方向ＺＰＢに延在し、当該第１突出部を貫通する様に、当該第１突出部の略中央部（尚、中央部に限定されない。）に設けられている第１貫通孔ＰＨを有している。更に、第１突出部２ＰＡ，・・・，２ＰＨの各々は、２）第１貫通孔ＰＨの中央部よりも第１太鼓面部２ＵＳ側に近寄った位置に於ける当該第１突出部の長手方向ＺＰＡ側の両端部の各々の部分に設けられている２つの第１引掛け用窪み部ＮＨを備えている。
【００２５】
しかも、３）第１貫通孔ＰＨの上記略中央部を介在して当該第１突出部の長手方向ＺＰＡ側の上記両端部間に延在した所定の第１幅２Ｔを有する第１折れ線部ＣＬを備えている。
【００２６】
加えて、第１突出部２ＰＡ，・・・，２ＰＨの各々は、４）太鼓本体の組立後には、所定の第１幅２Ｔを保持しつつ、第１折れ線部ＣＬに於いて、太鼓胴部１の８個の側面の内で対応する側面側に向けて内側に折れ曲げられる第１端部２ＰＡＥをも有している。その結果、太鼓本体の組み立て完了時点では、第１突出部２ＰＡ，２ＰＢ，２ＰＣ，２ＰＤ，２ＰＥ，２ＰＦ，２ＰＧＧ，２ＰＨの各々は、太鼓面部２ＵＳの８個の周縁部２ＥＡの内の対応する周縁部から太鼓胴部１の長手方向Ｚに沿って折れ曲がっている。
【００２７】
更に第１突出部２ＰＡ，・・・，２ＰＨの各々は、第１端部２ＰＡＥの折れ曲がりにより生じている所定の第１幅２Ｔの第１平坦部内に、第１貫通孔ＰＨの表側より見て、その一部５ＥＰが露出して配設されている第１竹串５を備えている。
【００２８】
ここで、図６は、第１竹串又は後述する第２竹串５の構造を示す斜視図である。図６中に於いて、第１竹串又は第２竹串５の略中央部（中央部には限定されない。）５ＥＰは、第１貫通孔又は第２貫通孔ＰＨの存在によって、表面側又は正面側から太鼓本端を眺めた際に露出して見える部分である。第１竹串又は第２竹串５は、その延在方向ＺＰＡに沿って竹の繊維が延びているので、後述する第１紐部又は第２紐部が当該第１竹串又は第２竹串５の露出部５ＥＰに巻き付けられても、当該紐部が引っ張る方向に柔軟に湾曲し、当該湾曲方向に対して強固である。竹の芯は自然的な物であり、こしが強い材料である。そのため、第１竹串又は第２竹串５が、第１紐部又は第２紐部の巻き付けによって損傷する度合いは比較的に小さく、第１竹串又は第２竹串５が成す、第１及び第２紐部が巻き付けられる部分の寿命を格段に長くすることが出来る。
【００２９】
同様に、第２突出部３ＰＡ，・・・，３ＰＨの各々は、第２太鼓面部３ＵＳの８個の周縁部３ＥＡの内の対応する周縁部から太鼓胴部１の長手方向Ｚに沿って折れ曲がっていると共に、当該第２突出部の短手方向ＺＰＢに延在して当該第２突出部に設けられている第２貫通孔ＰＨ、及び、第２貫通孔ＰＨの略中央部よりも第２太鼓面部３ＵＳ側に近寄った位置に於ける当該第２突出部の長手方向ＺＰＡ側の両端部の各々の部分に設けられている第２引掛け用窪み部ＮＨを備えている。しかも、第２突出部３ＰＡ，・・・，３ＰＨの各々は、第２貫通孔ＰＨの略中央部を介在して当該第２突出部の長手方向ＺＰＡ側の両端部間に延在した所定の第２幅３Ｔを有する第２折れ線部ＣＬと、第２折れ線部ＣＬに於いて所定の第２幅３Ｔを保持しつつ太鼓胴部１の対応する側面側に向けて内側に折れ曲がっている第２端部３ＰＡＥを、備えている。更に第２突出部３ＰＡ，・・・，３ＰＨの各々は、第２端部３ＰＡＥの折れ曲がりにより生じている所定の第２幅３Ｔの第２平坦部内に、第２貫通孔ＰＨの表側より見て、その一部５ＥＰが露出して配設されている第２竹串５を備えている。第２竹串５の構成・作用効果も、既述した図６の斜視図より理解される構成・作用効果に合致する。
【００３０】
図４は、図２に示される第１面部２又は第２面部３の第１突出部２ＰＡ，・・・，２ＰＨ又は第２突出部３ＰＡ，・・・，３ＰＨの各々を、第１太鼓面部２ＵＳ又は第２太鼓面部３ＵＳの８個の周縁部２ＥＡ，３ＥＡの内の対応する周縁部から太鼓胴部１の長手方向Ｚに沿って折れ曲げた際の、第１面部２又は第２面部３の第１太鼓面部２ＵＳ又は第２太鼓面部３の構成を模式的に示す平面図である。図４に例示される通り、この折り曲げ状態に於いては、第１面部２又は第２面部３の第１太鼓面部２ＵＳ又は第２太鼓面部３は、平坦な略正８角形の形状を有している。
【００３１】
図５は、各段ボールの構成部品１，２，３を折り曲げて太鼓体の本体を形成し、その上で、第１紐部ＨＡ、第２紐部ＨＢ、第３紐部ＨＣ、第４紐部ＨＤの結びによって、固定された状態にある段ボール太鼓の本体を示す正面図である。尚、図５に於いては、第１太鼓面部側が一部切り欠けられて成る縦断面構成が示されている。
【００３２】
ここで、図５中の破線ＣＡで囲まれた部分を拡大化して模式的に示した正面拡大図が、図７である。図７に例示する様に、各第２突出部の任意の一つである第２突出部３ＰＡに設けられている第２貫通孔ＰＨを通じて露出している第２竹串５の部分５ＥＰに、第２紐部ＨＢが直接に巻き付けられている。この第２紐部ＨＢは、図５に例示される様に、第１面部２と第２面部３とが互いに引っ張り合わさった状態を作るための紐部である。紐部の材料は、麻紐でも良いし、或いは、赤色又は黒色等の段ボールの色とは異なって紐自体が浮き上がって見える様に彩色された網線の紐又は縒り線の紐でも良い。この様に、第２紐部ＨＢが、直接に、段ボール製の第２突出部３ＰＡに設けられた第２貫通孔ＰＨの縁に巻き付けられていないため、基本的に紙である段ボールに設けられた貫通孔ＰＨが、使用回数が多くなる程に削れて損傷していく事態は、発生しない。そのため、本太鼓本体の寿命を格段に長くすることが出来る。しかも、既述の通り、第２紐部ＨＢの巻き付けの際に、第２竹串５の露出部５ＥＰが紐側に緩やかに湾曲するため、巻きつけられる部品（竹串）の寿命をも長くすることが出来る。これらの構造及び作用・効果は、第１面部２の各第１突出部の第１貫通孔ＰＨより露出する第１竹串５の露出部５ＥＰに第１紐部ＨＡを巻きつける場合にも、同様に成り立つ。
【００３３】
又、図８は、図５中の破線ＣＢで囲まれた部分を拡大化して模式的に示した正面拡大図である。図８に例示される様に、隣り合う第２突出部３ＰＡ，３ＰＢに設けられた二つの第２引掛け用窪み部ＮＨ同士が対向する様に、各第２引掛け用窪み部ＮＨの位置が設定されている。このため、第２面部３の各第２突出部３ＰＡ，・・・，３ＰＨを太鼓胴部１の対応する側面に密着させて結合させるための第４紐部ＨＤを各第２突出部の表面に巻き付ける際に、当該紐部ＨＤが各第２引掛け用窪み部ＮＨ内に嵌り込んで引っ掛けられた状態となる。そのために、第４紐部ＨＤを各第２突出部の表面に緩むこと無く強固に巻き付けることが出来る。これらの構成及び作用・効果は、図示しない、同じく第１面部２の８個の第１突出部２ＰＡ，・・・，２ＰＨの各々の裏面を太鼓胴部１の対応する各側面に密着させて結合させるための第３紐部を第１面部２の各第１突出部の表面に巻き付ける際にも、第３紐部が対向する各第１引掛け用窪み部ＮＨ内に嵌り込んで引っ掛けられた状態となるので、妥当する。
【００３４】
ゴムバンド等の紐部を、第１面側の貫通孔と第２面側の貫通孔との間で、直接に、単体で真っ直ぐに結び付けて各段ボール部を固定する場合には、「ビンビン」という高い不要な振動音が雑音として生じる。麻紐単体で真っ直ぐに第１面と第２面とを結び場合でも、不要な振動に起因した雑音が発生する。
【００３５】
この点、本実施の形態に係る段ボール太鼓に於いては、以下の様な、紐部の結び方法を提案・採用しており、不必要な振動音が生じなく、より本来の和太鼓の音に相当する良質の音が得られる。しかも、後述する様に、第１紐部ＨＡと第２紐部ＨＢとが角部でＸ字状に立体交差するように斜め方向に延在して両面部２，３とを引っ張って固定しているので、強固な固定を実現でき、音もより良質なものとなる。しかも、現象論ではあるが、木の机又は木の台の様な木の家具上に本太鼓を載せて、図５に例示される本段ボール太鼓を叩いて音を発生すると、共鳴がより一層に生じて、耳障りの良い反響音が生じることが、実際の試験演奏で確認されている。
【００３６】
即ち、図５に例示する様に、第１紐部ＨＡは、太鼓胴部１の８個の側面の内の一つの側面にその第１端部２ＰＡＥが密着している一つの第１突出部の第１平坦部内に配設されている第１竹串５の内の露出部５ＥＰの一部に巻かれている。更に、第１紐部ＨＡは、当該一つの側面（例えば側面１ＳＡ）に沿って斜め方向に延在しつつ当該一つの側面から隣の側面（例えば側面１ＳＢ）との境界（例えば境界部ＢＬＡ）を越えて当該隣の側面に亘って延在し且つ当該隣の側面に於ける一つの第２突出部（例えば第２突出部３ＰＢ）に向けて延在し続ける。そして、第１紐部ＨＡは、当該一つの第２突出部（例えば第２突出部３ＰＢ）の第２平坦部内に配設されている第２竹串５の内の露出部５ＥＰの一部に巻かれた上で、更に当該隣の側面（例えば側面１ＳＣ）に沿って斜め方向に延在しつつ当該隣の側面から更に隣の側面（例えば側面１ＳＤ）との境界（例えば境界部ＢＬＢ）を越えて当該更に隣の側面に亘って延在する。そして、第１紐部ＨＡは、当該更に隣の側面に於ける第１突出部に向けて延在し続けて、当該第１突出部の第１平坦部内に配設されている第１竹串５の内の露出部５ＥＰの一部に巻かれて、以降、同様に延在・巻かれる状態を経て、８個の全側面を一周して、上記一つの側面に戻って来た後に、その端部同士が結び付けられている。
【００３７】
同様に、図５に例示する様に、第２紐部ＨＢは、太鼓胴部１の８個の側面の内の一つの側面（例えば側面１ＳＡ）にその第２端部３ＰＡＥが密着している一つの第２突出部（例えば第２突出部３ＰＡ）の第２平坦部内に配設されている第２竹串５の内の露出部５ＥＰの一部に巻かれている。そして、更に、第２紐部ＨＢは、当該一つの側面に沿って斜め方向に延在しつつ当該一つの側面から隣の側面との境界（例えば境界部ＢＬＡ）を越えて当該隣の側面（例えば側面１ＳＢ）に亘って延在し且つ当該隣の側面に於ける一つの第１突出部(例えば第１突出部２ＰＢ)に向けて斜め方向に延在し続ける。そして、第２紐部ＨＢは、当該一つの第１突出部の第１平坦部内に配設されている第１竹串５の内の露出部５ＥＰの一部に巻かれた上で、更に当該隣の側面に沿って斜め方向に延在しつつ当該隣の側面から更に隣の側面（例えば側面１ＳＣ）との境界（例えば境界部ＢＬＢ）を越えて当該更に隣の側面に亘って延在し且つ当該更に隣の側面に於ける第２突出部に向けて延在し続ける。そして、第２紐部ＨＢは、当該第２突出部の第２平坦部内に配設されている第２竹串５の内の露出部５ＥＰの一部に巻かれて、それ以降、同様に延在・巻かれる状態を経て、８個の全側面を一周して上記一つの側面に戻って来た後に、その端部同士が結び付けられている。
【００３８】
そして、特筆すべき点は、第１紐部ＨＡ及び第２紐部ＨＢは、太鼓胴部１の８個の側面の各々の隣の側面との境界部又は当該境界部近傍に於いて、Ｘ字状に立体交差している。このＸ字状立体交差により、第１面部２と第３面部３とは、不要な振動音を生じさせることなく、強固に紐部を介して結合される。
【００３９】
又、第３紐部ＨＣは、各々の第１突出部の両端部の各々の部分に於ける第１引掛け用窪み部ＮＨに順次に引っ掛けられつつ、８個の第１突出部に一周して巻きつけられており、且つ、互いに結び付けられた両端部を備えている。この構成により、各々の第１突出部の裏面側部は、対応する太鼓胴部１の側面に強固に密着・結合されており、不要な振動音を生じさせない。この様に、第３紐部ＨＣは、絞り紐として機能する。
【００４０】
同様に、第４紐部ＨＤは、各々の第２突出部の両端部の各々の部分に於ける第２引掛け用窪み部ＮＨに順次に引っ掛けられつつ、８個の第２突出部に一周して巻きつけられており、且つ、互いに結び付けられた両端部を備えている。従って、各々の第２突出部の裏面側部は、対応する太鼓胴部１の側面に強固に密着・結合されており、不要な振動音を生じさせない。この様に、第４紐部ＨＤは、絞り紐として機能する。
【００４１】
図９及び図１０は、本実施の形態に係る段ボール太鼓に使用されるバチ部１０の構成を模式的に示す斜視図及び縦断面図である。
【００４２】
即ち、本段ボール太鼓は、太鼓本体に加えて、太鼓面を叩くための２本のバチ部１０を備えている。右手用バチ部１０を「第１バチ部」と称すれば、左手用バチ部１０は「第２バチ部」と称されることになる。
【００４３】
第１バチ部１０は、１）第１太鼓面部２ＵＳ又は第２太鼓面部３ＵＳの内の「太鼓面」として使用される一方の面を打ち叩くための、中空状態の紙製の第１バチ１０Ａと、２）第１バチ１０Ａの第１太鼓面部２ＵＳを叩く側の端部近傍に所定の回数分だけ巻き付けられて第１バチ１０Ａの側面上に、、第１バチ１０Ａの端部より突出して固設されている、「発泡スチロール」より成る第１緩衝材１０Ｂを備えている。ここで、所定の巻き回数は、例えば、３回とすると、紙製のバチが叩き付けられる音とは異なり、太鼓らしい音が発生することが確認されている。この点は、第２バチ部１０に於いても同様である。又、発泡スチロールの第１緩衝材１０Ｂは、巻き付け部材（例えば輪ゴム）１０Ｃ，１０Ｄによって、第１バチ１０Ａの側面に固設されている。この第１緩衝材１０Ｂの存在により、第１バチ部１０で太鼓面を叩いても、当該太鼓面が損傷することが防止される。仮に、太鼓面に損傷部分が付くと、干渉性が生じてしまい、きれいな太鼓の音の発生が阻害される。
【００４４】
同様に、第２バチ部１０は、１）第１太鼓面部２ＵＳ又は第２太鼓面部３ＵＳの内の「太鼓面」として使用される一方の面を打ち叩くための、中空状態の紙製の第２バチ１０Ａと、２）第２バチ１０Ａの太鼓面を叩く側の端部近傍に上記所定の回数分だけ巻き付けられて第２バチ１０Ａの側面上に固設されている、発泡スチロールより成る第２緩衝材１０Ｂを備えている。その作用・効果も、第１バチ部１０の場合と同様である。
【００４５】
（付記）
尚、実施の形態１に係る段ボール太鼓に用いられる、当該段ボール太鼓を組み立てるための段ボール太鼓用部品ユニットは、太鼓胴部を成す段ボールと、第１面部を成す段ボールと、第２面部を成す段ボールと、第１及び第２紐部と、第３及び第４紐部と、第１及び第２竹串と、第１及び第２緩衝材付きの第１及び第２バチとを、組立前の１組の部品として備える。
【００４６】
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００４７】
この発明は、組立及び解体が自在な段ボール製の太鼓に適用して好適なるものである。段ボール製の太鼓の高さは、例えば７０ｃｍ程度である。この場合には、子供も当該段ボール製の太鼓を叩くことが可能である。
【符号の説明】
【００４８】
１  太鼓胴部
２  第１面部
３  第２面部
５  竹串
ＨＡ  第１紐部
ＨＢ  第２紐部
１０  バチ部
【図１】
2014145799.tif 000003
【図２】
2014145799.tif 000004
【図３】
2014145799.tif 000005
【図４】
2014145799.tif 000006
【図５】
2014145799.tif 000007
【図６】
2014145799.tif 000008
【図７】
2014145799.tif 000009
【図８】
2014145799.tif 000010
【図９】
2014145799.tif 000011
【図１０】
2014145799.tif 000012